(57)【特許請求の範囲】
【請求項１】
載置面に載置された読取対象の媒体を上方から撮像する撮像手段と、
前記撮像手段による撮像時に前記媒体に光を照射可能に配置される光源と、
前記媒体から情報を取得する情報取得手段と、
前記情報取得手段により取得された前記媒体の情報に基づいて、前記媒体の光沢の有無を判別する光沢判別手段と、
前記光沢判別手段が前記媒体に光沢が有ると判別したときに利用者に警告を発する警告手段と、
前記撮像手段及び前記光源を制御する制御手段と、を備え、
前記警告手段が警告を発した後に、利用者が、前記載置面に載置された前記媒体の撮像を開始することに対して同意した場合、前記制御手段は、前記撮像手段及び前記光源の双方に対する制御について、前記光沢判別手段が前記媒体に光沢が無いと判定したときと同一の制御を行うことで前記撮像手段が前記媒体を撮像する、オーバーヘッド型画像読取装置。
【請求項２】
前記情報取得手段は、
前記載置面に載置された前記媒体に光を照射する少なくとも１つの発光手段と、
前記発光手段から照射された光の前記媒体からの反射光を検出する受光手段と、を有し、
前記光沢判別手段は、前記受光手段により取得された前記媒体の情報に基づき前記媒体の光沢の有無を判別する、請求項１に記載のオーバーヘッド型画像読取装置。
【請求項３】
前記受光手段がイメージセンサであり、
前記イメージセンサの撮像領域内に白基準部を備え、
前記光沢判別手段は、前記イメージセンサの撮像画像内の前記白基準部の階調を基準として前記媒体の光沢の有無を判別する、請求項２に記載のオーバーヘッド型画像読取装置。
【請求項４】
前記受光手段がイメージセンサであり、
前記光沢判別手段は、前記発光手段が２種類の光量を出力する際の前記イメージセンサの撮像画像の差分画像に基づいて、前記媒体の光沢の有無を判別する、請求項２または３に記載のオーバーヘッド型画像読取装置。
【請求項５】
前記発光手段が赤外線ＬＥＤであり、
前記赤外線ＬＥＤと前記受光手段との間の光線経路内に設けられ、一部または全部の可視光波長領域を遮断することができる光線波長カットフィルタを備える、請求項２〜４のいずれか１項に記載のオーバーヘッド型画像読取装置。
【請求項６】
前記制御手段は、前記警告手段が利用者に対して警告を発した後に、利用者が、前記載置面に載置された前記媒体の撮像を開始することに対して同意しなかった場合、前記撮像手段による撮像動作を中断する、請求項１〜５のいずれか１項に記載のオーバーヘッド型画像読取装置。
【請求項７】
前記制御手段は、前記警告手段が利用者に対して警告を発した後に、利用者が、前記載置面に載置された前記媒体の撮像を開始することに対して同意しなかった場合、前記光源の光量を低減する、請求項１〜５のいずれか１項に記載のオーバーヘッド型画像読取装置。
【請求項８】
前記制御手段は、前記警告手段が利用者に対して警告を発した後に、利用者が、前記載置面に載置された前記媒体の撮像を開始することに対して同意しなかった場合、前記光源の照射範囲を縮小する、請求項１〜５のいずれか１項に記載のオーバーヘッド型画像読取装置。
【請求項９】
前記制御手段は、前記警告手段が利用者に対して警告を発した後に、利用者が、前記載置面に載置された前記媒体の撮像を開始することに対して同意しなかった場合、前記光源の照射時間を短縮する、請求項１〜５のいずれか１項に記載のオーバーヘッド型画像読取装置。
【発明の詳細な説明】
【技術分野】
【０００１】
本発明は、オーバーヘッド型画像読取装置に関する。
【背景技術】
【０００２】
従来、上向きに載置された読取対象の媒体の画像を上方から読み取ることができる、所謂オーバーヘッド型の画像読取装置が知られている（例えば特許文献１）。このようなオーバーヘッド型画像読取装置では、媒体の読取動作の際には、媒体に対して上方の光源から光が照射される。
【先行技術文献】
【特許文献】
【０００３】
【特許文献１】特開平１０−３２７３０１号公報
【発明の概要】
【発明が解決しようとする課題】
【０００４】
このようなオーバーヘッド型画像読取装置において、読取面に光沢のある媒体を読み取る場合には、光源から照射された光が媒体で反射して装置前方にいるユーザに向かい、この結果、ユーザに対して嫌悪感、不快感、あるいは物の見えづらさを生じさせる眩しさ、所謂グレアを引き起こす虞があった。
【０００５】
本発明は、上記に鑑みてなされたものであって、グレアの抑制を可能にするオーバーヘッド型画像読取装置を提供することを目的とする。
【課題を解決するための手段】
【０００６】
上記課題を解決するために、本発明に係るオーバーヘッド型画像読取装置は、載置面に載置された読取対象の媒体を上方から撮像する撮像手段と、前記撮像手段による撮像時に前記媒体に光を照射可能に配置される光源と、前記媒体から情報を取得する情報取得手段と、前記情報取得手段により取得された前記媒体の情報に基づいて、前記媒体の光沢の有無を判別する光沢判別手段と、前記光沢判別手段が前記媒体に光沢が有ると判別したときに利用者に警告を発する警告手段と、前記撮像手段及び前記光源を制御して前記媒体を撮像する制御手段と、を備える。前記警告手段が警告を発した後に、利用者が、前記載置面に載置された前記媒体の撮像を開始することに対して同意した場合、前記制御手段は、前記撮像手段及び前記光源の双方に対する制御について、前記光沢判別手段が前記媒体に光沢が無いと判定したときと同一の制御を行うことで前記撮像手段が前記媒体を撮像する。
【０００８】
また、上記のオーバーヘッド型画像読取装置では、前記情報取得手段は、前記載置面に載置された前記媒体に光を照射する少なくとも１つの発光手段と、前記発光手段から照射された光の前記媒体からの反射光を検出する受光手段と、を有し、前記光沢判別手段は、前記受光手段により取得された情報に基づき前記媒体の光沢の有無を判別することが好ましい。
【０００９】
また、上記のオーバーヘッド型画像読取装置では、前記受光手段がイメージセンサであり、前記イメージセンサの撮像領域内に白基準部を備え、前記光沢判別手段は、前記イメージセンサの撮像画像内の前記白基準部の階調を基準として前記媒体の光沢の有無を判別することが好ましい。
【００１０】
また、上記のオーバーヘッド型画像読取装置では、前記受光手段がイメージセンサであり、前記光沢判別手段は、前記発光手段が２種類の光量を出力する際の前記イメージセンサの撮像画像の差分画像に基づいて、前記媒体の光沢の有無を判別することが好ましい。
【００１１】
また、上記のオーバーヘッド型画像読取装置では、前記発光手段が赤外線ＬＥＤであり、前記赤外線ＬＥＤと前記受光手段との間の光線経路内に設けられ、一部または全部の可視光波長領域を遮断することができる光線波長カットフィルタを備えることが好ましい。
【００１３】
また、上記のオーバーヘッド型画像読取装置では、前記警告手段が利用者に対して警告を発した後に、利用者が、前記載置面に載置された前記媒体の撮像を開始することに対して同意しなかった場合、前記制御手段が、前記撮像手段による撮像動作を中断することが好ましい。
【００１４】
また、上記のオーバーヘッド型画像読取装置では、前記警告手段が利用者に対して警告を発した後に、利用者が、前記載置面に載置された前記媒体の撮像を開始することに対して同意しなかった場合、前記制御手段が、前記光源の光量を低減することが好ましい。
【００１５】
また、上記のオーバーヘッド型画像読取装置では、前記警告手段が利用者に対して警告を発した後に、利用者が、前記載置面に載置された前記媒体の撮像を開始することに対して同意しなかった場合、前記制御手段が、前記光源の照射範囲を縮小することが好ましい。
【００１６】
また、上記のオーバーヘッド型画像読取装置では、前記警告手段が利用者に対して警告を発した後に、利用者が、前記載置面に載置された前記媒体の撮像を開始することに対して同意しなかった場合、前記制御手段が、前記光源の照射時間を短縮することが好ましい。
【発明の効果】
【００１７】
本発明に係るオーバーヘッド型画像読取装置は、媒体に光沢が有ることを検知したときには防眩制御が実行されるので、媒体の撮像中に光源から照射される光が媒体でユーザ側に反射する場合でも、この媒体からの反射光がユーザに及ぼす影響を低減することが可能となり、この結果、スキャナの動作中にユーザに対してグレアを引き起こすことを抑制できるという効果を奏する。
【図面の簡単な説明】
【００１８】
【図１】図１は、本発明の一実施形態に係るオーバーヘッド型画像読取装置の一例としてのオーバーヘッド型スキャナの概略構成を示す側面図である。
【図２】図２は、図１に示すオーバーヘッド型スキャナを正面視し、光沢判別及び防眩制御に係る主要な構成を示す図である。
【図３】図３は、本実施形態に係るオーバーヘッド型スキャナにより実施される原稿読取処理のメインフローを示すフローチャートである。
【図４】図４は、図３のフローチャート中の光沢判別処理のサブルーチンを示すフローチャートである。
【図５】図５は、図３のフローチャート中の防眩制御処理の第一のサブルーチン（注意喚起）を示すフローチャートである。
【図６】図６は、図５の防眩制御処理の第一のサブルーチンにおける注意喚起を説明するための模式図である。
【図７】図７は、図３のフローチャート中の防眩制御処理の第二のサブルーチン（光量減）を示すフローチャートである。
【図８】図８は、図３のフローチャート中の防眩制御処理の第三のサブルーチン（照射範囲減）を示すフローチャートである。
【図９】図９は、図３のフローチャート中の防眩制御処理の第四のサブルーチン（走査時間減）を示すフローチャートである。
【図１０】図１０は、図９の防眩制御処理の第四のサブルーチンにおける光学解像度を落とす処理を説明するための模式図である。
【発明を実施するための形態】
【００１９】
以下に、本発明に係るオーバーヘッド型画像読取装置の実施形態を図面に基づいて説明する。なお、以下の図面において、同一または相当する部分には同一の参照番号を付し、その説明は繰り返さない。
【００２０】
以下の実施形態では、上向きに載置された読取対象の媒体の画像を上方から読み取ることができるオーバーヘッド型画像読取装置の一例としてオーバーヘッド型スキャナを挙げて説明する。まず、図１及び図２を参照して、本実施形態に係るオーバーヘッド型スキャナの構成について説明する。図１は、本発明の一実施形態に係るオーバーヘッド型画像読取装置の一例としてのオーバーヘッド型スキャナの概略構成を示す側面図であり、図２は、図１に示すオーバーヘッド型スキャナを正面視し、光沢判別及び防眩制御に係る主要な構成を示す図である。
【００２１】
図１及び図２に示すように、オーバーヘッド型スキャナ１は、本体１０及び光学ユニット２０を有する。オーバーヘッド型スキャナ１は、光学ユニット２０の鉛直方向下方の載置面２に載置された読取対象の媒体Ｓの画像を読み取ることができる。載置面２は、例えば、オーバーヘッド型スキャナ１が設置される台の上面等の平面である。
【００２２】
本体１０は、台座部１１、アーム部１２及び支持部１３を有する。台座部１１は、載置面２等に載置されて本体１０全体を支持するものであり、本体１０の基部である。オーバーヘッド型スキャナ１の電源スイッチや画像読取開始スイッチ等の操作部材は、例えば台座部１１に配置される。
【００２３】
媒体Ｓ（原稿Ｓとも記載する）は、台座部１１の側方の４面の内の１つの面である前面１１ａに媒体Ｓの一辺を突き当てるようにして載置される。つまり、媒体Ｓは、矩形の一辺が台座部１１の前面１１ａと平行となるようにして載置面２に載置される。本実施形態では、このように載置された媒体Ｓの台座部１１の前面１１ａと平行な方向を「幅方向」あるいは「主走査方向」と記載する。また、媒体Ｓにおける前面１１ａと平行な一辺と直交する辺に平行な方向を「奥行方向」あるいは「副走査方向」と記載する。つまり、奥行方向とは、ユーザが媒体Ｓを挟んでオーバーヘッド型スキャナ１と対向しているときのユーザとオーバーヘッド型スキャナ１とが向かい合う方向である。奥行方向において、台座部１１から媒体Ｓに向かう方向を前方と記載し、媒体Ｓから台座部１１へ向かう方向を後方と記載する。
【００２４】
アーム部１２は、台座部１１と接続されており、台座部１１から鉛直方向上方に向けて延在している。アーム部１２は、例えば、断面矩形の柱状もしくは煙突状に形成されている。アーム部１２は、台座部１１における幅方向の中央部に接続されている。
【００２５】
アーム部１２の鉛直方向上方の端部には、支持部１３が接続されている。支持部１３は、アーム部１２の上端から副走査方向の前方へ向けて突出している。また、支持部１３は、アーム部１２の上端から幅方向の両側へ突出している。すなわち、支持部１３は、アーム部１２から媒体Ｓが載置される載置側へ張り出しており、かつアーム部１２から幅方向の両側に張り出している。
【００２６】
光学ユニット２０は、支持部１３によって回転軸Ｘ周りに回転自在に支持されている。回転軸Ｘは、支持部１３内、すなわちアーム部１２の鉛直方向上方端部から載置側に突出した位置にて幅方向に延在して配置されている。光学ユニット２０は、支持部１３内に配置された駆動装置（図示せず）から出力される回転軸Ｘ周りの駆動力により、回転軸Ｘ周りに揺動することができる。
【００２７】
光学ユニット２０は、光源２１及び撮像部２２（撮像手段）を有する。光源２１は、ＬＥＤ等の発光部を有しており、媒体Ｓに対して鉛直上方から光を照射することができる。光源２１は、媒体Ｓにおける読取対象ライン上の画像、すなわち読取画像に対して光を照射する。
【００２８】
撮像部２２は、例えばＣＣＤ（Ｃｈａｒｇｅ  Ｃｏｕｐｌｅｄ  Ｄｅｖｉｃｅ）を有するイメージセンサであり、光学ユニット２０の鉛直方向下方の載置面２に載置された読取媒体Ｓを撮像することができる。撮像部２２は、例えば画像を読み取る複数の画素が主走査方向に配列されたラインセンサであり、読取対象ライン上の読取画像によって反射された反射光を光電変換により電子データに変換して読取対象ラインの画像データを生成する。撮像部２２は、光学ユニット２０の回転軸Ｘ周りの揺動によって、媒体Ｓ全体を撮像することができる。
【００２９】
図１には、オーバーヘッド型スキャナ１の光学ユニット２０が読取可能範囲における最も後方側を撮像するときの回転位置（最後方読取位置）にある状態が実線で示されている。また、光学ユニット２０が読取可能範囲の最も前方側を撮像するときの回転位置（最前方読取位置）にある状態が二点鎖線で図示されている。オーバーヘッド型スキャナ１は、最後方読取位置を、画像読取を開始するときの初期位置としている。そして、光学ユニット２０の光源２１及び撮像部２２を前方に移動するように、光学ユニット２０を送り出し方向Ｙ１に回転させる。この動作によって、オーバーヘッド型スキャナ１は、撮像部２２による読取対象ラインを前方へ移動し、後方から前方へ順次媒体Ｓを読み取ることができる。
【００３０】
このように、オーバーヘッド型スキャナ１は、媒体Ｓの読取動作において、撮像部２２による読取対象ラインを後方から前方へ移動する。この間、光源２１の光軸Ａは、図１に示すように、鉛直方向下方へ向かうに従い前方へ向かう傾斜を常に有する。また、読取対象ラインが前方に移動するにつれて、光軸Ａの傾斜角度は連続的に変化する。このため、媒体Ｓが光沢を有する場合には、光源２１からの光が媒体Ｓで反射し、オーバーヘッド型スキャナ１に対するユーザの位置関係に応じて、その反射光が装置前方にいるユーザに向かう状況が起こりうるので、ユーザに対して嫌悪感、不快感、あるいは物の見えづらさを生じさせる眩しさ、所謂グレアを生じる虞がある。
【００３１】
そこで、本実施形態のオーバーヘッド型スキャナ１は、載置面２に載置された媒体Ｓに光沢が有るか否かを判別する光沢判別機能と、媒体Ｓに光沢が有る場合にユーザがスキャン動作中に感じる眩しさ（グレア）を抑制するための防眩制御機能とを実施可能に構成されている。オーバーヘッド型スキャナ１は、これらの機能に関する要素として、赤外線ＬＥＤ３１（発光手段）と、ＵＳＢカメラ３２（受光手段）と、白基準部３３と、制御装置４０とを備える。
【００３２】
赤外線ＬＥＤ３１は、光沢検出用の赤外線を媒体Ｓに照射する。赤外線ＬＥＤ３１は、本体１０の支持部１３内に、下方の載置面２に向かって赤外光を照射可能に配置されている。赤外線ＬＥＤ３１は、媒体Ｓの光沢検出用の光を発光するが、可視光ではない赤外光を発光させるため、画像読取用の光源２１とは異なる要素の発光によってユーザに違和感を与えることを防止することができる。
【００３３】
ＵＳＢカメラ３２は、赤外線ＬＥＤ３１から照射された赤外光の媒体Ｓからの反射光を検出する。ＵＳＢカメラ３２は、載置面２に載置された媒体Ｓを上方から撮像するイメージセンサである。ＵＳＢカメラ３２も、赤外線ＬＥＤ３１と同様に本体１０の支持部１３内に、載置面２に対向して設けられ、少なくとも赤外線ＬＥＤ３１の載置面２への照射位置を含む領域を撮像可能に配置されている。
【００３４】
また、ＵＳＢカメラ３２は、光線波長カットフィルタ（図示せず）を有し、一部または全部の可視光波長領域を遮断して受光可能であり、赤外線ＬＥＤ３１から照射された赤外線の反射光を精度良く検出できるよう構成されている。なお、光線波長カットフィルタは、赤外線ＬＥＤ３１とＵＳＢカメラ３２との間の光線経路であれば、ＵＳＢカメラ３２以外の位置に設置してもよい。本実施形態では、赤外線ＬＥＤ３１とＵＳＢカメラ３２とが、媒体Ｓから情報を取得する情報取得手段として機能する。
【００３５】
白基準部３３は、ＵＳＢカメラ３２の撮像領域内に設けられ、ＵＳＢカメラ３２と対向する面が白色の要素である。白基準部３３は、ＵＳＢカメラ３２により載置面２上の媒体Ｓが撮像されるときに併せて撮像され、撮像画像を解析する際に白基準部３３の色を基準色として利用される。本実施形態では、白基準部３３は本体１０の台座部１１の上面に配置されている。
【００３６】
なお、本実施形態では、ＵＳＢカメラ３２により赤外線ＬＥＤ３１の反射光の検出の信頼性を向上すべく、図２に示すように赤外線ＬＥＤ３１を２個設けているが、１個でもよいし、２個より多くてもよい。
【００３７】
赤外線ＬＥＤ３１とＵＳＢカメラ３２との位置関係は、媒体Ｓが光沢紙である場合に、赤外線ＬＥＤ３１からの光が光沢紙で反射した反射光を、ＵＳＢカメラ３２が受光できるよう、相互の位置が調整されている。例えば図２に示すように、支持部１３内において、ＵＳＢカメラ３２を幅方向中央に配置し、ＵＳＢカメラ３２から幅方向の左右側方に赤外線ＬＥＤ３１を１個ずつ配置することができる。なお、赤外線ＬＥＤ３１とＵＳＢカメラ３２の配置は、ＵＳＢカメラ３２が各赤外線ＬＥＤ３１の反射光を受光できる位置に配置されていればよく、図２の例以外の配置で支持部１３内に設けてもよいし、アーム部１２など他の箇所に設けてもよい。
【００３８】
制御装置４０は、オーバーヘッド型スキャナ１の各部の動作を制御する。本実施形態では、制御装置４０は、赤外線ＬＥＤ３１及びＵＳＢカメラ３２を制御して、ＵＳＢカメラ３２による撮像画像に基づいて、載置面２の媒体Ｓが光沢紙であるか否かを判別する。また、制御装置４０は、載置面２に載置された媒体が光沢紙である場合には、光学ユニット２０、光源２１、撮像部２２などを制御して防眩制御を行う。
【００３９】
具体的には、制御装置４０は、図２に示すように、以下に説明する光沢判別部４１、防眩制御部４２、画像読取制御部４３の各機能を実現するよう構成されている。
【００４０】
光沢判別部４１は、赤外線ＬＥＤ３１及びＵＳＢカメラ３２の動作を制御して、ＵＳＢカメラ３２による撮像画像に基づいて、載置面２の媒体Ｓが光沢紙であるか否かを判別する。なお、本実施形態における「光沢紙」とは、表面が滑らかなグロス度の高い媒体、すなわちアート紙やコート紙といった塗光紙や、光沢フィルムを添付したラミネート紙、あるいはガラス、樹脂などを含むものとする。光沢判別部４１による光沢判別処理の詳細は、図４を参照して後述する。
【００４１】
防眩制御部４２は、光沢判別部４１により載置面２に載置された媒体Ｓが光沢紙であると判別された場合に、光学ユニット２０、光源２１、撮像部２２などの動作を制御して、防眩制御を行う。防眩制御とは、ユーザがスキャン動作中に感じる眩しさ（グレア）を抑制するためのオーバーヘッド型スキャナ１の各種要素の動作制御であり、その詳細は、図５〜１０を参照して後述する。
【００４２】
画像読取制御部４３は、光学ユニット２０、光源２１、撮像部２２などの動作を制御して、載置面２上の媒体Ｓの画像読取動作を制御する。
【００４３】
制御装置４０は、物理的には、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）などを有するコンピュータである。上述した制御装置４０の各機能の全部または一部は、ＲＯＭに保持されるアプリケーションプログラムをＲＡＭにロードしてＣＰＵで実行することによって、ＲＡＭやＲＯＭにおけるデータの読み出し及び書き込みを行うことで実現される。また、制御装置４０は、キーボートやマウスなどの入力装置、ディスプレイなどの表示装置（図６の符号４４を参照）、入出力ポートなどの通信装置を備えており、ＣＰＵで実行されるアプリケーションプログラムがこれらの装置を利用して、ユーザによる指示操作の入力、ユーザへのメッセージや光沢判定結果の表示、オーバーヘッド型スキャナ１の本体１０や光学ユニット２０との通信を行うことで、上述した制御装置４０の各機能の全部または一部が実現される。
【００４４】
また、上記のアプリケーションプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、及びＢｌｕ−ｒａｙ  Ｄｉｓｃ等の任意の「可搬用の物理媒体」を含むものとする。また、アプリケーションプログラムは、制御装置４０に対して任意のネットワークを介して接続されたアプリケーションプログラムサーバに記憶されていてもよく、必要に応じてその全部または一部をダウンロードすることも可能である。
【００４５】
なお、制御装置４０は、オーバーヘッド型スキャナ１の外部機器として接続される構成（図６参照）としてもよいし、オーバーヘッド型スキャナ１の内部に設置される構成としてもよい。
【００４６】
次に、図３〜１０を参照して、本実施形態に係るオーバーヘッド型スキャナの動作について説明する。図３は、本実施形態に係るオーバーヘッド型スキャナにより実施される原稿読取処理のメインフローを示すフローチャートであり、図４は、図３のフローチャート中の光沢判別処理のサブルーチンを示すフローチャートであり、図５は、図３のフローチャート中の防眩制御処理の第一のサブルーチン（注意喚起）を示すフローチャートであり、図６は、図５の防眩制御処理の第一のサブルーチンにおける注意喚起を説明するための模式図であり、図７は、図３のフローチャート中の防眩制御処理の第二のサブルーチン（光量減）を示すフローチャートであり、図８は、図３のフローチャート中の防眩制御処理の第三のサブルーチン（照射範囲減）を示すフローチャートであり、図９は、図３のフローチャート中の防眩制御処理の第四のサブルーチン（走査時間減）を示すフローチャートであり、図１０は、図９の防眩制御処理の第四のサブルーチンにおける光学解像度を落とす処理を説明するための模式図である。
【００４７】
図３のメインフローに示すように、まず、ユーザにより原稿Ｓが載置面２にセットされ（Ｓ１０１）、原稿Ｓの読取動作の開始操作が入力されると（Ｓ１０２）、光沢判別部４１により、原稿Ｓが光沢紙か否かを振り分けるための光沢判別処理が行われる（Ｓ１０３）。
【００４８】
ステップＳ１０３の光沢判別処理では、図４に示すサブルーチンの処理が実施される。
【００４９】
まず、赤外線ＬＥＤ３１の点灯が制御されて、赤外線ＬＥＤ３１が消灯している時の原稿Ｓの撮像画像ＰａがＵＳＢカメラ３２から取得され（Ｓ２０１）、続いて赤外線ＬＥＤ３１が点灯している時の原稿Ｓの撮像画像ＰｂがＵＳＢカメラ３２から取得される（Ｓ２０２）。ここで、ＵＳＢカメラ３２から取得される画像Ｐａ，Ｐｂは、ＵＳＢカメラ３２の各画素の階調値を含む情報である。
【００５０】
ステップＳ２０１で取得された原稿Ｓの撮像画像Ｐａと、ステップＳ２０２で取得された原稿Ｓの撮像画像Ｐｂとを用いて、ＰａとＰｂの差分画像Ｐｍが算出される（Ｓ２０３）。差分画像Ｐｍは、ＰａとＰｂの各画素の階調値の差分を含む情報である。
【００５１】
ステップＳ２０３で算出された差分画像Ｐｍにおいて、白基準部３３の設置位置に対応する領域の各画素の階調値が抽出され、これらの階調値の平均をとることで、白基準部３３の平均階調値Ｔが算出される（Ｓ２０４）。
【００５２】
差分画像Ｐｍの指定範囲において、階調値Ｔ＋ｋ以上のピクセル数Ｃが計数される（Ｓ２０５）。ここで「指定範囲」とは、赤外線ＬＥＤ３１が点灯した際に反射光によって媒体Ｓ上に発生する輝点の位置を含む範囲である。ｋは、任意の定数であり、白基準部３３の平均階調値からの差異の度合いを示し、ｋが大きいほど該当ピクセルが明るいことを示す。
【００５３】
そして、ステップＳ２０５にて計数されたピクセル数Ｃが所定の閾値（例えば１００ピクセル）以内か否かが確認される（Ｓ２０６）。
【００５４】
差分画像Ｐｍの指定範囲において、階調値Ｔ＋ｋ以上のピクセル数Ｃが閾値より大きい場合（Ｓ２０６のＮｏ）には、差分画像Ｐｍの指定範囲に色調が明るいピクセルが多く、指定範囲内で反射光が発生しているものとして、原稿Ｓは光沢紙であると判別して（Ｓ２０７）、メインフローに戻る。
【００５５】
一方、階調値Ｔ＋ｋ以上のピクセル数Ｃが閾値以内である場合（Ｓ２０６のＹｅｓ）には、差分画像Ｐｍの指定範囲に色調が明るいピクセルが少なく、指定範囲内で反射光が発生していないものとして、原稿は光沢紙でないと判別して（Ｓ２０８）、メインフローに戻る。
【００５６】
すなわち、図４に示す光沢判別処理では、ＵＳＢカメラ３２の撮像画像内の白基準部３３の階調を基準として、媒体Ｓの光沢の有無が判別される。また、赤外線ＬＥＤ３１消灯時及び点灯時のＵＳＢカメラ３２の撮像画像Ｐａ，Ｐｂの差分画像Ｐｍに基づいて、媒体Ｓの光沢の有無が判別される。言い換えると、まず、赤外線ＬＥＤ３１消灯時及び点灯時のＵＳＢカメラ３２の撮像画像Ｐａ，Ｐｂの差分画像Ｐｍが算出され、さらに、この差分画像Ｐｍの各ピクセルの階調値と白基準部３３の平均階調値Ｔとの差分が算出され、この差分値に基づき撮像画像の指定範囲に輝点があるか否かが判別される。このように算出された差分値は、赤外線ＬＥＤ３１点灯時のＵＳＢカメラ３２の撮像画像Ｐｂの情報を、消灯時の撮像画像Ｐａ及び白基準部３３により正規化したものである。このように正規化された情報を用いることにより、室内照明や外光などの外環境の影響を低減させることができ、媒体Ｓの光沢判別を精度良く行うことができる。
【００５７】
なお、上記の光沢判別処理において、ステップＳ２０３の差分画像Ｐｍの算出処理を行わなくてもよい。この場合、ステップＳ２０４では、ステップＳ２０２で取得された、赤外線ＬＥＤ３１が点灯している時の撮像画像Ｐｂにおいて、白基準部３３の平均階調値Ｔが算出され、ステップＳ２０５では、撮像画像Ｐｂの指定範囲において、階調値Ｔ＋ｋ以上のピクセル数Ｃが計数される。
【００５８】
また、上記の光沢判別処理において、ステップＳ２０４の白基準部３３の平均階調値Ｔの算出処理を行わなくてもよい。この場合、ステップＳ２０５では、差分画像Ｐｍの指定範囲において、所定の階調値Ｋ（「Ｔ＋ｋ」に相当する任意の定数）以上のピクセル数Ｃが計数される。
【００５９】
また、上記の光沢判別処理では、差分画像Ｐｍは、赤外線ＬＥＤ３１の消灯時の撮像画像Ｐａと、点灯時の撮像画像Ｐｂとの差分としたが、消灯／点灯時に限らず赤外線ＬＥＤ３１が２種類の異なる光量を出力した際の読取画像の差分としてもよい。この場合、赤外線ＬＥＤ３１は、消灯／点灯以外にも光量調節可能に構成されている。
【００６０】
再び図３のメインフローに戻り、ステップＳ１０３の光沢判別処理の結果、原稿が光沢紙か否かが確認される（Ｓ１０４）。原稿Ｓが光沢紙である場合には（Ｓ１０４のＹｅｓ）、反射光がユーザに影響を与えるのを回避すべく、防眩制御部４２により防眩制御が実施され（Ｓ１０５）、処理を終了する。一方、原稿Ｓが光沢紙でない場合には（Ｓ１０４のＮｏ）、反射光は発生せず読取動作を行ってもユーザに悪影響はないものとして、そのまま画像読取制御部４３により原稿Ｓの読取が開始され（Ｓ１０６）、処理を終了する。
【００６１】
図５〜１０を参照して、図４のメインフローのステップＳ１０５において実行される防眩制御のサブルーチン処理について説明する。本実施形態では、ステップＳ１０５の防眩制御処理において、以下の４種類の手法のうち少なくとも１つを選択して実施することができる。また、複数の手法を組み合わせて実施してもよい。また、個々の手法について、ユーザが任意に有効化または無効化できるよう構成してもよい。
【００６２】
（１）ユーザへ注意喚起し、ユーザからの同意を得るまで読取動作を中断する（図５の防眩制御１）。
（２）光源２１の光量を低減する(図７の防眩制御２)。
（３）光源２１の照射範囲を縮小する（図８の防眩制御３）。
（４）撮像部２２の走査速度を高速化し、光源２１の照射時間を短縮する（図９の防眩制御４）。
【００６３】
図５，６を参照して防眩制御１（注意喚起）について説明する。
【００６４】
まず、ユーザに対して、原稿Ｓが光沢紙であり、グレアが発生する虞があることが警告される（Ｓ３０１）。具体的には、例えば、図６に示すように、防眩制御部４２は、制御装置４０のディスプレイ等の表示装置４４上に、原稿Ｓが光沢紙であること、及びグレア発生を警告する旨の通知メッセージを、ポップアップダイアログやバルーンなどで表示する。さらに、オーバーヘッド型スキャナ１の本体１０などに設けられた報知ランプ３４の明滅や点灯状態を変化させたり、本体１０または制御装置４０に付与されたスピーカー等を用いて警報音を鳴らすことで、ユーザの注意を喚起する。また、防眩制御部４２は、ユーザへの警告に伴い、画像読取制御部４３による原稿Ｓの読取動作を一旦中断させ、待機状態に入る。
【００６５】
次に、読取を開始する同意をユーザから得られたか否かが確認される（Ｓ３０２）。ユーザの同意は、例えば、ステップＳ３０１の通知メッセージをユーザが画面上で消去したこと、またはユーザが再度読取動作の開始指令を入力したことなど、ユーザによる何らかの動作を検知することで確認することができる。ユーザの同意が得られた場合には（Ｓ３０２のＹｅｓ）、原稿Ｓの読取動作の中断状態が解消され、画像読取制御部４３により原稿Ｓの読取が開始され（Ｓ３０３）、メインフローに戻る。一方、ユーザの同意が得られなかった場合には（Ｓ３０２のＮｏ）、原稿Ｓの読取動作を中断したまま、メインフローに戻る。すなわち、ユーザの同意を得られなかった場合には、今回の処理では原稿Ｓの読取は行われない。
【００６６】
次に図７を参照して防眩制御２（光量減）について説明する。
【００６７】
まず、光源２１の光量を下げるよう設定される（Ｓ４０１）。例えば、防眩制御部４２が光源２１の輝度やデューティ比を下げる設定を行うことで、光源２１の光量を下げることができる。
【００６８】
ステップＳ４０１にて光源２１の光量を下げたことに伴って、画像品質の劣化（粒状感の増大や階調性の低下）を回避すべく、撮像部２２が単位時間当たりに受け取る光量を増やすよう設定される（Ｓ４０２）。具体的には、防眩制御部４２が、例えばＦナンバーを明るくする、露光時間や走査時間を長くするよう撮像部２２の各種設定を変更する。
【００６９】
そして、このように光源２１の光量が下がり、撮像部２２の設定が変更された状態で、画像読取制御部４３により原稿Ｓの読取が開始され（Ｓ４０３）、メインフローに戻る。
【００７０】
次に、図８を参照して、防眩制御３（照射範囲減）について説明する。
【００７１】
一般的な照明のグレアの評価指数であるＵＧＲ（Ｕｎｉｆｉｅｄ  Ｇｌａｒｅ  Ｒａｔｉｎｇ）では、ＵＧＲを算出するためのパラメータとして「照明の発光面の面積」が含まれる。発光面の面積が大きいほど、ＵＧＲが増大し、ユーザの不快感が増大する。そこで、例えば、光学ユニット２０の撮像部２２の読取範囲をＡ３用紙相当からＡ４用紙相当に短縮するなど、防眩制御部４２により撮像部２２の読取可能範囲を縮小することによって、光源２１の照射範囲を狭めるよう設定される（Ｓ５０１）。
【００７２】
そして、このように照明の照射範囲が縮小された状態で、画像読取制御部４３により原稿Ｓの読取が開始され（Ｓ５０２）、メインフローに戻る。
【００７３】
次に、図９，１０を参照して、防眩制御４（走査時間減）について説明する。
【００７４】
光源２１の発光時間の短縮によって、光エネルギの総量が抑えられ、人間の眼に与える負荷を減らすことが期待できる。光源２１は、撮像部２２による媒体Ｓの撮像動作中に点灯される。そこで、防眩制御部４２により撮像部２２及び光学ユニット２０による走査時間を短縮し、すなわち撮像部２２の読取速度を高速化するよう設定変更することにより、光源２１の照射時間を短縮するよう設定される（Ｓ６０１）。
【００７５】
ステップＳ６０１において撮像部２２の読取速度を高速化することによって、撮像部２２の各画素が受け取る光量が低減する。このような光量の低下を抑えるべく、防眩制御部４２により、撮像部２２の光学解像度を落とすよう設定される（Ｓ６０２）。具体的には、図１０に示すように、撮像部２２の複数画素を１画素として扱うよう設定を変更する。図１０の例では、１次元センサの３００ｄｐｉの光学解像度を、２画素分を１画素として扱うことで、半分の１５０ｄｐｉに落としている。これにより、１画素当たりの光量が倍になるため、半分の照射時間で同等の光量が得られる。なお、１画素当たりの光量を維持することができれば、他の手法を用いてもよい。
【００７６】
そして、撮像部２２の走査時間と光源２１の照射時間が短縮され、光学解像度が落とされた状態で、画像読取制御部４３により原稿Ｓの読取が開始され（Ｓ６０３）、メインフローに戻る。
【００７７】
本実施形態のオーバーヘッド型スキャナ１は、載置面２に載置された読取対象の媒体Ｓを上方から撮像する撮像部２２と、撮像部２２による撮像時に媒体Ｓに光を照射可能に配置される光源２１と、を備える。オーバーヘッド型スキャナ１の制御装置４０は、媒体Ｓに光沢が有ることを検知したときに防眩制御を実行する。
【００７８】
この構成により、媒体Ｓに光沢が有ることを検知したときには防眩制御が実行されるので、媒体Ｓの撮像中に光源２１から照射された光が媒体Ｓの光沢によってユーザ側に反射する状況であっても、媒体Ｓからの反射光がユーザに及ぼす影響を低減することが可能となり、オーバーヘッド型スキャナ１の動作中にユーザに対してグレアを引き起こすことを抑制できる。
【００７９】
以上、本発明の実施形態を説明したが、上記の実施形態は、例として提示したものであり、発明の範囲を限定することは意図していない。上記の実施形態は、その他の様々な形態で実施されることが可能であり、発明の要旨を逸脱しない範囲で、種々の省略、置き換え、変更を行うことができる。上記の実施形態やその変形は、発明の範囲や要旨に含まれると同様に、特許請求の範囲に記載された発明とその均等の範囲に含まれるものである。
【００８０】
例えば、上記の実施形態では、制御装置４０の光沢判別部４１が、ＵＳＢカメラ３２の撮像画像に基づいて、載置面２に載置された媒体Ｓが光沢紙か否かを判定する構成としたが、この代わりに、ユーザからの選択指令に基づき、媒体Ｓに光沢が有ることを検知する構成でもよい。例えば、媒体Ｓが光沢紙か非光沢紙であるか、あるいは原稿種別に対応する選択ボタンを本体１０上に設けて、ユーザがどの選択ボタンを押下したかを検知することや、あるいはこの選択ボタンに相当するＧＵＩを制御装置４０の表示装置４４を介してユーザに提示し、ユーザの選択操作入力を検出することで、媒体Ｓの光沢の有無を判別することができる。
【００８１】
上記の実施形態では、上向きに載置された読取対象の媒体Ｓの画像を上方から読み取ることができるオーバーヘッド型画像読取装置の一例としてオーバーヘッド型スキャナ１を挙げて説明したが、本発明は、複写機、ファクシミリ、文字認識装置など他のオーバーヘッド型の画像読取装置にも適用可能である。
【００８２】
また、上記の実施形態において、赤外線ＬＥＤ３１は、載置面２に載置された媒体Ｓに光を照射できる他の発光手段と置換可能であり、また、ＵＳＢカメラ３２は、発光手段から照射された光の媒体Ｓからの反射光を検出できる他のイメージセンサを含む受光手段と置換可能である。
【符号の説明】
【００８３】
１  オーバーヘッド型スキャナ装置（オーバーヘッド型画像読取装置）
２１  光源
２２  撮像部（撮像手段）
３１  赤外線ＬＥＤ（情報取得手段、発光手段）
３２  ＵＳＢカメラ（情報取得手段、受光手段、イメージセンサ）
３３  白基準部
４０  制御装置
【図１】
0005933357.tif 000002
【図２】
0005933357.tif 000003
【図３】
0005933357.tif 000004
【図４】
0005933357.tif 000005
【図５】
0005933357.tif 000006
【図６】
0005933357.tif 000007
【図７】
0005933357.tif 000008
【図８】
0005933357.tif 000009
【図９】
0005933357.tif 000010
【図１０】
0005933357.tif 000011